(57)【要約】【課題】ハンディモバイル型の液体吐出装置の改行操作時の移動量の変更を容易化するとともに、液体吐出装置の操作性を向上させる。【解決手段】液体を吐出する液体吐出口を有する液体吐出ヘッドと、操作者が印字方向と直交する改行方向に装置本体を移動させる改行操作をガイドするガイド部材７と、ガイド部材の移動量を変更させる移動量変更手段１８と、を備え、ガイド部材は印字時は被搬送物Ｐから離れた位置にあり、改行操作時に、操作者がガイド部材７の下端部１７を被搬送物に接地させた状態で装置本体を改行方向に動かすことで、装置本体を所定量だけ移動させる、ことを特徴とするハンディモバイル型の液体吐出装置１により解決される。【選択図】図３
2019001055.tif 000002
【特許請求の範囲】
【請求項１】
液体を吐出する液体吐出口を有する液体吐出ヘッドと、
操作者が印字方向と直交する改行方向に装置本体を移動させる改行操作をガイドするガイド部材と、
前記ガイド部材の移動量を変更させる移動量変更手段と、
を備え、
前記ガイド部材は印字時は被搬送物から離れた位置にあり、
改行操作時に、操作者が前記ガイド部材の下端部を被搬送物に接地させた状態で装置本体を改行方向に動かすことで、装置本体を所定量だけ移動させる、ことを特徴とするハンディモバイル型の液体吐出装置。
【請求項２】
改行操作時に、操作者が前記ガイド部材を垂直下方に押し下げて、前記ガイド部材の下端部を被搬送物に接地させた状態で装置本体を改行方向に動かすことで、装置本体を所定量だけ移動させる、ことを特徴とする請求項１に記載の液体吐出装置。
【請求項３】
前記移動量変更手段は、改行方向に可動に構成された前記ガイド部材のストッパ部であり、
改行操作時に前記ストッパ部が当たる突当部を備える、ことを特徴とする請求項１又は２に記載の液体吐出装置。
【請求項４】
改行操作時に、操作者が装置本体を或る角度だけ傾けて、前記ガイド部材の下端部を被搬送物に接地させ、前記ガイド部材の下端部が被搬送物に接地した状態で装置本体をさらに傾けて改行方向に動かすことで、装置本体を所定量だけ移動させる、ことを特徴とする請求項１に記載の液体吐出装置。
【請求項５】
前記ガイド部材はヒンジ部を有し、該ヒンジ部の周りに回転でき、
前記移動量変更手段は、回転した前記ガイド部材に当たる突当部であり、装置本体に垂直方向に可動に設けられている、ことを特徴とする請求項１又は４に記載の液体吐出装置。
【請求項６】
装置本体は上部ユニットと下部ユニットから構成されており、
前記下部ユニットに対して、前記上部ユニット及び前記ガイド部材がそれらの回転軸を同軸として取り付けられる、ことを特徴とする請求項５に記載の液体吐出装置。
【請求項７】
１回の改行操作により装置本体が移動する前記所定量は、改行方向における前記液体吐出ヘッドの長さに等しい、ことを特徴とする請求項１〜６のいずれか一項に記載の液体吐出装置。
【請求項８】
前記ガイド部材に装置本体に向かう付勢力を与える弾性体が接続されており、該弾性体の付勢力により、装置本体の移動後に前記ガイド部材が初期位置に戻る、ことを特徴とする請求項１〜７のいずれか一項に記載の液体吐出装置。
【請求項９】
前記ガイド部材には、前記液体吐出ヘッドの前記液体吐出口の中心軸と直交する位置に、操作者が装置本体の上から視認可能な突起が設けられている、ことを特徴とする請求項１〜８のいずれか一項に記載の液体吐出装置。
【発明の詳細な説明】
【技術分野】
【０００１】
本発明は、液体吐出装置に関する。
【背景技術】
【０００２】
昨今、ノートパソコンの小型化や、スマートデバイスの急激な普及により、プリンタについても、小型化、携帯化が強く要請されている。
携帯型のプリンタとして、モバイルプリンタ（ハンドヘルドプリンタ）が商品化されており、その多くは、バッテリを内蔵することで持ち運びを可能とし、被搬送物を少量ずつ搬送しながら印字できるものである。その他にも手動でプリンタをフリーハンド走査させるハンディモバイルプリンタも知られている。
【０００３】
従来のインクジェット方式のシリアルプリンタは、被搬送物をセットするトレイ、被搬送物を搬送する被搬送物搬送装置、被搬送物上をヘッド走査させるヘッド走査装置、ヘッドにインクを供給するインク供給装置、ヘッドのノズル詰まりを解消するメンテナンス装置などを有していた。だが、ハンディモバイルプリンタはこれらの構成部材を備えておらず、フリーハンド走査により被搬送物に印刷が可能であるため、モビリティの利便性とプリンタの被搬送物対応力を兼ね備えている。
【０００４】
しかし、従来のインクジェット方式のハンディモバイルプリンタでは、改行操作時のハンディモバイルプリンタの移動量を変えるために部品の交換などを必要とし、移動量の変更が容易ではなかった。
【０００５】
特許文献１の記録装置は、インクジェット方式のハンディモバイルプリンタの操作性を向上させるため、プリンタ本体の記録方向への移動をガイドする第一ガイド手段と、記録方向に対して直角な方向へのプリンタ本体の移動をガイドする第二ガイド手段と、第一ガイド手段と第二ガイド手段とを切り換えるための切換手段とを備えている。
【０００６】
しかし、改行に必要な第二ガイド手段によるプリンタ本体の移動量は第二ガイド手段の回転量で定められるため、固定的であり、プリンタ本体の移動量の変更は容易ではない。
【発明の概要】
【発明が解決しようとする課題】
【０００７】
そこで本発明は、ハンディモバイル型の液体吐出装置の改行操作時の移動量の変更を容易化するとともに、液体吐出装置の操作性を向上させることを目的とする。
【課題を解決するための手段】
【０００８】
この課題は、液体を吐出する液体吐出口を有する液体吐出ヘッドと、操作者が印字方向と直交する改行方向に装置本体を移動させる改行操作をガイドするガイド部材と、前記ガイド部材の移動量を変更させる移動量変更手段と、を備え、前記ガイド部材は印字時は被搬送物から離れた位置にあり、改行操作時に、操作者が前記ガイド部材の下端部を被搬送物に接地させた状態で装置本体を改行方向に動かすことで、装置本体を所定量だけ移動させる、ことを特徴とするハンディモバイル型の液体吐出装置により解決される。
【発明の効果】
【０００９】
装置本体を所定量だけ移動させるためのガイド部材の移動量を変更させる移動量変更手段により、液体吐出装置の改行操作時の移動量の変更が容易化する。改行操作時には、操作者がガイド部材の下端部を被搬送物に接地させた状態で装置本体を改行方向に動かすことで、装置本体が所定量だけ移動するため、液体吐出装置の操作性が向上する。
【図面の簡単な説明】
【００１０】
【図１】本発明の実施形態に係るハンディモバイル型インクジェットプリンタの概略斜視図である。
【図２】プリンタ１の概略底面図である。
【図３】プリンタ１の概略背面斜視図である。
【図４】プリンタ１の概略側面断面図である。
【図５】プリンタ１の機能ブロック図である。
【図６】ガイド部材による改行操作を示す概略平面図である。
【図７】第２の実施形態に係るガイド部材を備えたプリンタ１の概略背面斜視図である。
【図８】同プリンタ１の概略側面断面図である。
【図９】第２の実施形態に係るガイド部材を備えたプリンタ１の改行操作を示す概略図である。
【図１０】ガイド部材のヒンジ部の形状を示す概略断面図である。
【発明を実施するための形態】
【００１１】
図１は、本発明の実施形態に係るハンディモバイル型インクジェットプリンタ（以下、適宜「プリンタ」と言う）の概略斜視図である。図２はプリンタ１の概略底面図である。
液体吐出装置としてのプリンタ１は、下部ユニット３と、下部ユニットに着脱可能な上部ユニット２から構成され、略直方体形状を有している。操作者はプリンタ１を手で把持して被搬送物上を走査することで、印刷することが可能である。右利きの操作者であれば、プリンタ１の後部にある湾曲部２２が手のひらに収まるようにプリンタ１を右手で把持し、人差し指で電源ボタン１４を、中指で切替ボタン１５を押す。湾曲部２２の反対側に位置するプリンタ１の前面２４は平坦な形状を有している（図３）。
【００１２】
上部ユニット２内には、被搬送物への印刷を制御するメイン制御部５０（図５）が搭載されている。上部ユニット２の上面には、プリンタ１の電源ボタン１４と、インク吐出のＯＮ／ＯＦＦを切り替える切替ボタン１５が配置されている。電源ボタン１４は長押しすることで電源のＯＮ／ＯＦＦを切り替えることができるだけでなく、短く押すことで右方向及び左方向の印字（両方向の印字）と、右方向又は左方向の印字（一方向の印字）を選択できるモード切替機能も有する。切替ボタン１５により、操作者が液体吐出ヘッド３９からのインクの吐出タイミングなどを操作することができる。また、上部ユニット２の側面には、ＵＳＢ接続口６が配置されており、ＵＳＢ接続口６に画像データを保有したＵＳＢを挿入することで、所望の画像を印字することができる。
【００１３】
下部ユニット３内には、液体吐出ヘッド３９が搭載されており、液体吐出ヘッド３９は、底面１３の下に位置する被搬送物に向かって液体を吐出する列状の複数の液体吐出口３８を有する（図２）。また、下部ユニット３内にはインクカートリッジ収納部が設けられており、上部ユニット２を下部ユニット３から取り外してインクカートリッジを交換する。また、被搬送物と対面する底面１３には列状の液体吐出口３８と平行な軸に備えられたガイドコロ４が設けられており（図２）、印字操作の際、ガイドコロ４の回転によりプリンタ本体の短手方向である印字方向Ｘにプリンタ１を直進させることができる。操作者がプリンタ１を被搬送物上で走査させるとき、底面１３は被搬送物に接触せず、被搬送物に接触するのはガイドコロ４のみであるため、被搬送物とプリンタ１の接触は最小限に抑えられ、液体吐出ヘッド３９から被搬送物への距離が一定に保たれて、所望の高画質の画像が印字される。
【００１４】
プリンタ１はその底面１３に、液体吐出ヘッド３９を間に挟むように配置されてプリンタ自身の位置を検知する複数の座標検知センサを有してもよいが、座標検知センサを備えないことによりプリンタ１を低コストで製造することができる。
【００１５】
図３はプリンタ１の概略背面斜視図であり、図４はプリンタ１の概略側面断面図である。なお、図４において被搬送物Ｐと接触しているガイドコロ４の図示は省略している。
下部ユニット３には、操作者によるプリンタ１の改行操作をガイドするためのガイド部材７が設けられている。ガイド部材７は、操作者による印字方向Ｘと直交する改行方向Ｙにおける改行操作をガイドするものである。図４に示すように、ガイド部材７は、平板状の本体２５と、本体２５の下面１９から下方に延びる脚部２１と、本体２５の上面後方から上方に延びて改行方向Ｙに可動なストッパ部１８を有している。ここで、下部ユニット３の前面から突出する本体２５の部分は押さえ部１６を形成している。また、ガイド部材７の下面１９には、ガイド部材７を上方に付勢する付勢手段であるばね１０が固着され、付勢力によってガイド部材７の上面は、下部ユニット３内に印字方向Ｘ（紙面垂直方向）に設けられた突当部８に押し当っている。そのため、図示のように、印字操作の間はガイド部材７の脚部２１の下端部１７は印字面から離れた位置にある。一方で、操作者がガイド部材７の押さえ部１６を下方に押さえるとガイド部材７はばね１０の付勢力に抗して下に移動し、脚部２１の下端部１７が被搬送物に接触する。
【００１６】
ガイド部材７の後端部２０には、ガイド部材７を後方に付勢するばね９が配置されており、付勢力によって脚部２１が下部ユニット３の前面に押し当っている。後述する改行操作の際には、後端部２０から上方に延在しているストッパ部１８が突当部８に当たり、プリンタ１の移動が停止するようになっている。図４では、ガイド部材７は初期位置にあり、突当部８とストッパ部１８の距離Ａは、改行方向Ｙにおける液体吐出ヘッド３９の長さ（１ヘッド長）に等しい。そのため、１回の改行操作により液体吐出ヘッド３９を狙いの位置に移動させることができるので、改行操作は簡略化される。
【００１７】
ストッパ部１８は、ガイド部材７の移動量を変更させる移動量変更手段であり、改行方向Ｙに可動に構成されている。そのため、例えば、ストッパ部１８を移動、固定させることで、初期には１ヘッド長に相当するように設定されている距離Ａを、例えば０．５ヘッド長に簡易に設定することができる。
ここで、ストッパ部１８を可動に構成することに代えて又は加えて、突当部８を、ガイド部材７の移動量を変更させる移動量変更手段として改行方向Ｙに可動に構成してもよく、これによってもプリンタ１の移動量である距離Ａを容易に変更することができる。
【００１８】
図５は、プリンタ１の機能ブロック図である。
メイン制御部５０は、各演算処理・制御を司るＣＰＵ５１と、ＰＣ／スマートフォン間の制御、画像や操作コマンドの入力ＩＦであるＨｏｓｔＩ／Ｆ５２と、各演算、各画像処理の実行メモリとして使用するＲＡＭ５３と、プリンタのハードウェア制御を行うファームウェアや液体吐出ヘッド（インクジェットヘッド）３９の駆動波形データ等を格納するＲＯＭ５４と、液体吐出ヘッド３９を駆動させるためのデータ処理、駆動波形を生成するヘッド制御部６０等を有する。
【００１９】
プリンタ１の電力源としてはバッテリ７５を有し、メンテナンスキット７６から充電する。バッテリは充電式であり、メンテナンスキットは単純に充電のみを行うもので、ＡＣアダプタやＵＳＢ給電アダプタなどである。
電源ボタン１４をＯＮすることによりプリンタ１に電源を入れると、各モジュールに電力が供給され、ＣＰＵ５１はＲＯＭ５４に格納されているプログラムから起動動作を開始し、プログラム・各データをＲＡＭ５３に展開する。
【００２０】
座標検知センサを有する場合、これらに加えて、メイン制御部５０は、プリンタ１の位置情報を検出する位置検知センサの情報を元に、液体吐出ヘッド３９のノズル位置情報を算出する位置算出回路と、各座標検知センサからの検知信号を入力する位置情報Ｉ／Ｆ等、を有してもよい。座標検知センサはプリンタ１の相対的な位置を検出する手段であり、マウスに使用される光学センサや小型のカメラモジュールなどを複数個搭載し、プリンタ自身の回転位置も検出できる。この座標検知センサを用いた位置検知方法としては、元形成画像データをメモリに予め記憶してから、カメラモジュールにより形成した画像をスキャンし、元データとスキャンデータとをマッチングさせることでプリンタの位置を見失っても復帰する方法や、ＧＰＳを利用して絶対位置を検出する方法があり、これらの方法を用いて絶対位置を見失わない位置検出を実現する。座標検知センサを有するハンディモバイル型プリンタの詳細は特許文献２を参照されたい。
【００２１】
図６は、ガイド部材による改行操作を示す概略平面図である。
ガイド部材７の幅方向両端部には、プリンタ１の長手方向（改行方向Ｙ）にばね９が接続されており、弾性体であるばね９によってガイド部材７はプリンタ本体に向かう付勢力を与えられている。右利きの操作者がプリンタ１により印字する場合、操作者は右手でプリンタ１を把持し、被搬送物Ｐの所望の位置（本例では、被搬送物の左上隅）に置き、印字方向Ｘである右方向にプリンタ１を直進させて１行目の印字を行う（図６（ｉ））。１行目の印字が完了したら、改行操作として、操作者は左手でばね１０（図４）の付勢力に抗してガイド部材７の押さえ部１６を垂直下方に押し下げ、ガイド部材７の下端部１７を被搬送物Ｐに接地させる（図６（ｉｉ））。
【００２２】
次に、ガイド部材７の下端部１７を被搬送物Ｐに接地させたまま、ガイド部材７のストッパ部１８と突当部８（図４）が突き当たるまでプリンタ１を右手で改行方向Ｙに距離Ａだけ動かし、動かし終えたらガイド部材７から左手を離す（図６（ｉｉｉ））。このとき、プリンタ１はガイド部材７によって改行方向に所定量（距離Ａ）だけ移動するため、プリンタ１の操作性が著しく向上する。さらには、ばね９及びばね１０の付勢力により、プリンタ１の移動後にはガイド部材７は初期位置（図６（ｉｖ）、図３、図４）まで自動的に戻るため、ガイド部材７を初期位置に戻すための手動操作は不要であり、２行目の印字を狙いの位置から直ぐに開始することができる。
【００２３】
２行目の印字は１行目とは逆方向、すなわち右から左に行うため、プリンタ１を持ち上げて被搬送物Ｐから離す必要がない。よって、プリンタ１の被搬送物Ｐへの着地時の液体吐出ヘッド３９への不要な衝撃の付加を防止できる。
【００２４】
図７は、第２の実施形態に係るガイド部材を備えたプリンタ１の概略背面斜視図、図８は、同プリンタ１の概略側面断面図である。
本例では、図８に示すように、ガイド部材７は、Ｌ字形状の基部２７と、基部２７の前面に設けられた脚部２８と、基部２７の上部に設けられたヒンジ部１１を有し、ヒンジ部１１の周りを回転できる。ガイド部材７の後端部２０には、ガイド部材７を後方に付勢する弾性体であるばね９が接続されており、付勢力によって脚部２８が下部ユニット３の前面に押し当っている。また、脚部２８の上方であってプリンタ１の前面には、前方に突出する突当部８が設置されている。突当部８は、ガイド部材７の移動量を変更させる移動量変更手段であり、垂直方向Ｚに可動に構成されている。そのため、移動量変更手段を移動させることで、プリンタ１の移動量を容易に変更することができる。図８に示すプリンタ１の初期状態では、脚部２８の下端部２９は被搬送物Ｐに接触していない。
【００２５】
図９は、第２の実施形態に係るガイド部材を備えたプリンタ１の改行操作を示す概略図である。なお、図８，９において被搬送物Ｐと接触しているガイドコロ４の図示は省略している。
改行操作時には、操作者はプリンタ１の前方下方に位置する角部３０を支点にプリンタ１を前方に角度αだけ傾けて、ガイド部材７の脚部２８の下端部２９を被搬送物Ｐに接地させる（図９（ｉ））。図１〜４における実施形態では、操作者はガイド部材７の押さえ部１６をもう片方の手で上から押し下げる必要があったが、本実施形態によれば操作者がプリンタ１を片手で手前に傾けるだけでガイド部材７が被搬送物Ｐに自動的に接触するので、ガイド部材７をもう片方の手で押さえる必要がない。
【００２６】
次に、プリンタ１の前面にある突当部８が回転したガイド部材７に当たるまで、操作者はガイド部材７の下端部２９が被搬送物に接地した状態で、下端部２９を支点にプリンタ１の角部３０を後方に移動させながら、プリンタ１を前方にさらに角度βだけ傾け、回転させる（図９（ｉｉ））。これにより、プリンタ１の角部３０、すなわちプリンタ本体は、図９（ｉ）における位置よりも所定量だけ改行方向Ｙに移動する。
【００２７】
最後に、操作者はプリンタ１の角部３０を支点にプリンタ１を後方に回転させ、ガイドコロが被搬送物Ｐに接地する正規姿勢に戻す。このようにして、プリンタ１はガイド部材７によって改行方向Ｙに所定量だけ移動するため、プリンタ１の操作性が著しく向上する。このプリンタ１の所定量・移動量は改行方向Ｙにおける液体吐出ヘッド３９の長さ（１ヘッド長）に等しい。そのため、１回の改行操作により液体吐出ヘッド３９を狙いの位置に移動させることができるので、改行操作は簡略化され、２行目の印字を狙いの位置から開始することができる。また、プリンタ１の移動後にはばね９の付勢力によりガイド部材７は初期位置まで自動的に戻るため、ガイド部材７を初期位置に戻すための手動操作は必要ない。
【００２８】
図１〜４の実施形態と同様にプリンタ１を持ち上げて被搬送物Ｐから離す必要がないため、プリンタ１の被搬送物Ｐへの着地時の液体吐出ヘッド３９への不要な衝撃の付加を防止できる。
【００２９】
また、突当部８は垂直方向Ｚに可動に構成されている。そのため、突当部８を上方に移動させ、ガイド部材７から遠ざけて固定することで、初期には１ヘッド長に相当するように設定されているプリンタ１の移動量を、例えば１．５ヘッド長に簡易に設定することができる。逆に、突当部８を下方に移動させて、ガイド部材７に近づけて固定することで、初期には１ヘッド長に相当するように設定されているプリンタ１の移動量を、例えば０．５ヘッド長に簡易に設定することができる。
【００３０】
また図７に示すように、ガイド部材７の脚部２８には、プリンタ１に搭載された液体吐出ヘッド３９の液体吐出口３８の中心軸と直交する位置に、操作者がプリンタ１の上から視認可能な突起１２が設けられている。また、操作者がプリンタ１の上から突起１２を視認できるように、突当部８は透明な部材で構成されている。または、突当部８は図７に示すような平坦な形状を有さずに、突起１２と重なる中央部に、突起１２を見るための凹部を有してもよい。または、突起は突当部８の上面中央部に形成されてもよい。突起や脚部などに関する同様の構成が図３に示すプリンタ１にも当てはまる。このようにして、操作者は、印字時に狙いのＸ方向の印字開始位置に突起１２を合わせることで、狙い通りの印字開始位置から印字を行うことができる。
【００３１】
図１０は、ガイド部材のヒンジ部の形状を示す概略断面図である。図１０は、図７の矢印位置での断面図であって、左側のヒンジ部１１を正面から見た断面図である。
図示のように、上部ユニット２及びガイド部材７は下部ユニット３の凸形状部分に取り付けられている。具体化には、上部ユニット２の凸部３１を、基部である下部ユニット３の凹部３２に取り付け、ガイド部材７の嵌合部３４を基部である下部ユニット３の凸部３３に取り付ける。このようにして、基部としての下部ユニット３に対して、上部ユニット２及びガイド部材７の回転軸を同軸（回転軸３５）として取り付けるため、上部ユニット２及びガイド部材７の下部ユニット３への取り付け部を１か所に集約することができ、プリンタ１を小型化することができる。上カバーとして機能する上部ユニット２は回転軸３５の周りに回転させて開け、下部ユニット３の内部を開放させることができ、ガイド部材７も突当部８に当たるまで回転軸３５の周りに回転することができる。
【００３２】
以上、本発明をインクジェット方式のハンディモバイルプリンタを例として説明したが、本発明のプリンタの構造は他の画像形成方法による装置にも適用可能である。
【００３３】
以上のように、本発明の実施形態に係るハンディモバイルのインクジェットプリンタは被搬送物上をフリーハンドで操作して被搬送物に印刷することができる。そして、インクジェットプリンタはガイド部材及びガイド部材の移動量を変更させる移動量変更手段を有し、これら部材によりインクジェットプリンタを一定距離だけ改行操作することができるとともに、インクジェットプリンタの移動量を簡易に変更することができる。したがって、改行操作におけるインクジェットプリンタの移動量の変更のために、部材の交換は不要である。
【００３４】
プリンタ、ファクシミリ、複写機、プロッタ、これらの機能を併せ持つ複合機等の画像形成装置として、例えばインク滴（液滴）を吐出する記録ヘッドを用いた液体吐出記録方式の画像形成装置（インクジェット記録装置）が知られている。このようなインクジェット記録装置は、記録ヘッドのノズルからインク滴を被搬送物に吐出して、画像形成（記録、印字、印写、印刷も同義であり、文字や図形等の意味を持つ画像を媒体に対して付与することだけでなく、パターン等の意味を持たない画像を媒体に付与する行為（単に液滴を媒体に着弾させる液滴吐出ないし液体吐出と称されるもの）を含み、２次元画像だけでなく、３次元画像（立体画像）を対象とする）を行うものである。また、記録ヘッドとして用いられる液体吐出ヘッド（液滴吐出ヘッド）は、ノズルから液体を吐出・噴射する機能部品であり、圧電アクチュエータ等により振動板を変位させ液室内の体積を変化させて圧力を高め、液滴を吐出させる圧電型ヘッドや、通電によって発熱する発熱体を液室内に設けて、発熱体により生じる気泡によって液室内の圧力を高め、液滴を吐出するサーマル型ヘッドが知られている。
【００３５】
なお、本願において、「被搬送物」の材質は紙に限定されず、布帛、皮革、金属、プラスチック、ガラス、木材、セラミックス等も含み、液滴が付着されるものであれば、記録媒体、用紙、記録紙等と称されるものを含む総称として「被搬送物」なる用語を用いている。また液体吐出ヘッドから吐出される「液体」は、ヘッドから吐出可能な粘度や表面張力を有するものであればよく、特に限定されないが、常温常圧下において、又は加熱、冷却により粘度が３０ｍＰａ・ｓ以下になるものであることが好ましい。より具体的には、「液体」は、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、等を含む溶液、懸濁液、乳濁液等であり、これらは例えばインクジェット用インク、表面処理液、電子素子や発光素子の構成要素や電子回路レジストパターンの形成用液、３次元造形用材料液等の用途で用いることができる。「液体吐出ユニット」は、液体吐出ヘッドに他の機能部品、機構が一体化した液体吐出に関連する部品の集合体であり、例えばキャリッジ、ヘッドタンク、液体供給機構、維持回復機構の少なくとも一つを含んで構成される。また「液体吐出装置」は液体吐出ヘッドを駆動させて液体を吐出させる装置である。液体吐出装置には、液体が付着可能なものに対して液体を吐出することが可能な装置だけでなく、液体を気中や液中に向けて吐出する装置も含まれ、画像形成装置のほかに立体造形装置、処理液塗布装置、噴射造粒装置等がある。
【符号の説明】
【００３６】
１  ハンディモバイル型インクジェットプリンタ（液体吐出装置）
７  ガイド部材
８  突当部（移動量変更手段）
１７，２９  下端部
１８  ストッパ部（移動量変更手段）
３８  液体吐出口
３９  液体吐出ヘッド
Ｐ  被搬送物
【先行技術文献】
【特許文献】
【００３７】
【特許文献１】特開平５−１１６３８０号公報
【特許文献２】特開２０１６−８７８８０号公報
【図１】
2019001055.tif 000003
【図２】
2019001055.tif 000004
【図３】
2019001055.tif 000005
【図４】
2019001055.tif 000006
【図５】
2019001055.tif 000007
【図６】
2019001055.tif 000008
【図７】
2019001055.tif 000009
【図８】
2019001055.tif 000010
【図９】
2019001055.tif 000011
【図１０】
2019001055.tif 000012